(57)【要約】【課題】回路基板や嵌合相手の電気コネクタ等を省略することによって電気コネクタの構成を極めて簡易なものとすることを可能とする。【解決手段】所定の電子回路を有する電子機器を構成する製品筐体ＭＦの壁部に対して単体のプラグコネクタ１０が直接的に嵌合されるようになっており、その単体のプラグコネクタ１０の嵌合状態において、連結突部ＭＦａの表面に露出している配線パターンＣＰの接点部にコンタクト１２の接点部が接触されるため、従来から用いられている回路基板や、その回路基板に実装される嵌合相手となる電気コネクタを介在することなく、信号伝送媒体の電気的な接続が簡易な構成で行われるように構成したものである。【選択図】図２
2011146273.tif 000002
【特許請求の範囲】
【請求項１】
所定の電子回路を有する電子機器を構成する製品筐体の壁部の表面上に形成された配線パターンに、信号伝送媒体の端末部を電気的に接続するものであって、
前記配線パターンに弾性的に接触する接点部を有するコンタクトが本体部に取り付けられた電気コネクタにおいて、
前記本体部が、前記製品筐体の壁部から片持ち状に突出する連結突部に対して嵌合可能となるように構成されたものであって、
前記配線パターンに、前記連結突部の表面に露出する接点部が設けられているとともに、
前記コンタクトが、前記連結突部への嵌合方向と略平行な方向に沿って延在するように配置され、且つそのコンタクトの接点部は、前記本体部が前記連結突部に嵌合された状態において前記配線パターンの接点部に接触するように構成されていることを特徴とする電気コネクタ。
【請求項２】
所定の電子回路を有する電子機器を構成する製品筐体の壁部の表面上に形成された配線パターンと、
その配線パターンに接点部が接触することによって信号伝送媒体の端末部を電気的に接続するコンタクトが本体部に取り付けられた電気コネクタと、
を備えた電気コネクタ組立体において、
前記製品筐体の壁部から片持ち状に突出して前記電気コネクタの本体部を嵌合可能とする連結突部を備えたものであって、
前記配線パターンに、前記連結突部の表面に露出する接点部が設けられているとともに、
前記コンタクトが、前記連結突部への嵌合方向と略平行な方向に沿って延在するように配置され、且つそのコンタクトの接点部は、前記本体部が前記連結突部に嵌合された状態において前記配線パターンの接点部に接触するように構成されていることを特徴とする電気コネクタ組立体。
【請求項３】
前記コンタクトが、信号を伝送するシグナルコンタクトと、そのシグナルコンタクトの両側に配置された接地用のグランドコンタクトと、からなることを特徴とする請求項１記載の電気コネクタ又は請求項２のいずれかに記載の電気コネクタ組立体。
【請求項４】
前記連結突部及び本体部には、嵌合方向において係脱可能となるように構成されたロック部が設けられていることを特徴とする請求項１記載の電気コネクタ又は請求項２のいずれかに記載の電気コネクタ組立体。
【請求項５】
前記コンタクトが、嵌合方向と略直交する方向に沿って片持ち状に延出する第１のアーム部と、その第１のアーム部の自由端から略嵌合方向に沿って片持ち状に延出する第２のアーム部と、を有し、
前記第２のアーム部の自由端部分には、前記配線パターン側に接触する接点部が設けられていることを特徴とする請求項１記載の電気コネクタ又は請求項２のいずれかに記載の電気コネクタ組立体。
【発明の詳細な説明】
【技術分野】
【０００１】
本発明は、信号伝送媒体の端末部を配線パターンに電気的に接続する電気コネクタ及び電気コネクタ組立体に関する。
【背景技術】
【０００２】
一般に、携帯電話等の種々の電子機器又は電気機器において、細線同軸ケーブルやフレキシブル配線基板、或いは印刷配線基板等からなる各種信号電送媒体の端末部分を、電気コネクタを用いて印刷配線基板側に接続することが広く行われている（例えば下記の特許文献１参照）。このときの電気コネクタは、信号伝送媒体の端末部分を所定の配線パターン（回路）に接続するものであるが、通常は、例えば図１１に示されているように、製品筐体１の内部に取り付けられた回路基板２上にリセプタクルコネクタ３を実装しておき、そのリセプタクルコネクタ３に対して、細線同軸ケーブル等からなる信号伝送媒体４の端末部分を連結したプラグコネクタ５を嵌合させる構成になされている。なお、このときに用いられている一対の電気コネクタ３，５は、信号線を通して必要な情報信号の伝送を行うとともに、シールド線を通して接地用のシールド信号をグランド回路に接続させる機能を有している。
【０００３】
一方、近年になって電子機器等の小型化・薄型化が急速に進められており、それにともなって電気コネクタの低背化及び低コスト化が図られている。そのため、上述した電気コネクタ３，５の構成を簡易化することが強く要請されている。しかしながら、製品筐体１は、樹脂成形材料で製作されているため、耐熱性が低く製品筐体１に直接半田付けや電子部品の実装が出来ない状況である。従って、通常に用いられているいずれの電気コネクタも、配線パターンを有する印刷配線基板２に一方の電気コネクタ（リセプタクルコネクタ）３を実装し、他方の電気コネクタ（プラグコネクタ）５を嵌合状態とするという基本的な構成を備えたものとなっており、そのような基本的な構成の制約から、大幅な低背化及び低コスト化を図ることは難しくなって来ている。
【先行技術文献】
【特許文献】
【０００４】
【特許文献１】特開２００１−４３９３９号公報
【特許文献２】特開２００２−３２４６３６号公報
【発明の開示】
【発明が解決しようとする課題】
【０００５】
そこで本発明は、簡易な構成によって、低背化及び低コスト化を大幅に図ることができるようにした電気コネクタを提供することを目的とする。
【課題を解決するための手段】
【０００６】
上記目的を達成するため本発明においては、所定の電子回路を有する電子機器を構成する製品筐体の壁部の表面上に形成された配線パターンに、信号伝送媒体の端末部を電気的に接続するものであって、前記配線パターンに弾性的に接触する接点部を有するコンタクトが本体部に取り付けられた電気コネクタにおいて、前記本体部が、前記製品筐体の壁部から片持ち状に突出する連結突部に対して嵌合可能となるように構成されたものであって、前記配線パターンに、前記連結突部の表面に露出する接点部が設けられているとともに、前記コンタクトが、前記連結突部への嵌合方向と略平行な方向に沿って延在するように配置され、且つそのコンタクトの接点部は、前記本体部が前記連結突部に嵌合された状態において前記配線パターンの接点部に接触する構成が採用されている。
【０００７】
また、本発明においては、所定の電子回路を有する電子機器を構成する製品筐体の壁部の表面上に形成された配線パターンと、その配線パターンに接点部が接触することによって信号伝送媒体の端末部を電気的に接続するコンタクトが本体部に取り付けられた電気コネクタと、を備えた電気コネクタ組立体において、前記製品筐体の壁部から片持ち状に突出して前記電気コネクタの本体部を嵌合可能とする連結突部を備えたものであって、前記配線パターンに、前記連結突部の表面に露出する接点部が設けられているとともに、前記コンタクトが、前記連結突部への嵌合方向と略平行な方向に沿って延在するように配置され、且つそのコンタクトの接点部は、前記本体部が前記連結突部に嵌合された状態において前記配線パターンの接点部に接触する構成が採用されている。
【０００８】
このような構成によれば、所定の電子回路を有する電子機器を構成している製品筐体の壁部に設けられた連結突部に対して単体のコネクタが直接的に嵌合されるようになっており、その単体のコネクタの嵌合状態において、連結突部の表面に露出している配線パターンの接点部にコンタクトの接点部が接触される。そのため、従来から用いられている回路基板や、その回路基板に実装される嵌合相手となる電気コネクタを介在することなく、信号伝送媒体の電気的な接続が簡易な構成で行われるようになっている。
【０００９】
また、本発明における前記コンタクトは、信号を伝送するシグナルコンタクトと、そのシグナルコンタクトの両側に配置された接地用のグランドコンタクトとからなることが望ましい。
【００１０】
このような構成とすれば、シグナルコンタクトの両側にグランドコンタクトが配置されているため、シグナルコンタクトに対するインピーダンス等の調整が良好に行われる。
【００１１】
また、本発明における前記連結突部及び本体部には、嵌合方向において係脱可能となるように構成されたロック部が設けられていることが望ましい。
【００１２】
このような構成とすれば、コンタクトの電気的な接続状態が安定的に維持される。
【００１３】
また、本発明においては、前記コンタクトが、嵌合方向と略直交する方向に沿って片持ち状に延出する第１のアーム部と、その第１のアーム部の自由端部から略嵌合方向に沿って片持ち状に延出する第２のアーム部とを有し、前記第２のアーム部の自由端部には、前記配線パターン側に接触する接点部が設けられていることが望ましい。
【００１４】
このような構成とすれば、配線パターン側に接触する接点部が、互いに直交する方向に延在する第１及び第２のアーム部により弾性変位可能に支持されているため、電気コネクタに対してどのような方向から負荷が掛けられても、その負荷の方向に対応するようにして第１及び第２のアーム部が弾性変位することとなり、配線パターン側に接点部が常に接触する状態が維持されて電気的な接触安定性が良好に維持されるようになっている。
【発明の効果】
【００１５】
以上述べたように本発明は、所定の電子回路を有する電子機器を構成する製品筐体の壁部に設けられた連結突部に対して単体のコネクタが直接的に嵌合されるようになっており、その単体のコネクタの嵌合状態において、連結突部の表面に露出している配線パターンの接点部にコンタクトの接点部を接触させて、従来から用いられている回路基板や、その回路基板に実装される嵌合相手となる電気コネクタを介在することなく、信号伝送媒体の電気的な接続が簡易な構成で行われるように構成したものであるから、回路基板や嵌合相手の電気コネクタ等を省略することによって電気コネクタの構成を極めて簡易なものとすることができ、電気コネクタの低背化及び低コスト化を大幅に図ることができる。
【図面の簡単な説明】
【００１６】
【図１】本発明の一実施形態にかかる電気コネクタを用いた接続作業の途中状態を表した外観斜視説明図である。
【図２】図１に示された本発明の一実施形態にかかるプラグコネクタを嵌合させる前の状態を前方側から表した外観斜視説明図である。
【図３】図１及び図２に示された本発明の一実施形態にかかるプラグコネクタの構造を下方側から表した外観斜視説明図である。
【図４】図１及び図２に示された本発明の一実施形態にかかるプラグコネクタを上方側から表した平面説明図である。
【図５】図４の中の V − V 線に沿った縦断面説明図である。
【図６】図４の中の VI − VI 線に沿った縦断面説明図である。
【図７】図１〜図６に示されたプラグコネクタに対して信号伝送媒体としての細線同軸ケーブルを連結する前の状態を後方側から表した外観斜視説明図である。
【図８】図７に示されたプラグコネクタに用いられている導電性シェルの単体を表した外観斜視説明図である。
【図９】図１〜図６に示されたプラグコネクタに対して信号伝送媒体としての細線同軸ケーブルをセットした状態を後方側から表した外観斜視説明図である。
【図１０】図１〜図６に示されたプラグコネクタに対して信号伝送媒体としての細線同軸ケーブルをセットした後に導電性シェルの蓋部を折り曲げて被せた状態を後方側から表した外観斜視説明図である。
【図１１】通常用いられている一般の電気コネクタによる接続状態を表した外観斜視説明図である。
【発明を実施するための最良の形態】
【００１７】
以下、信号伝送媒体として細線同軸ケーブルを用いて、電子機器の製品筐体に対して側方から直接的に嵌合するように構成された水平嵌合型の電気コネクタに本発明を適用した場合の実施形態についての説明を図面に基づいて詳細に行う。
【００１８】
図１〜図６に示されている本発明の一実施形態にかかるプラグコネクタ１０は、所定の電子回路を有する携帯電話等の電子機器を構成している製品筐体ＭＦの壁部に対して直接的に嵌合される構成になされたものであって、その電子機器の製品筐体ＭＦを構成している壁部の内表面又は外表面には、アンテナや種々の回路の一部を構成する配線パターンＣＰが印刷等により形成されている。そして、この本発明の一実施形態にかかるプラグコネクタ１０を介して、製品筐体ＭＦの表面上に形成されている配線パターンＣＰに、信号伝送媒体としての細線同軸ケーブルＳＣの端末部分が電気的に接続されるようになっている。
【００１９】
すなわち、上述した製品筐体ＭＦの壁部に設けられた一端縁部には、当該一端縁部から片持ち状に突出する連結突部ＭＦａが形成されており、その製品筐体ＭＦの壁部に設けられた連結突部ＭＦａにプラグコネクタ１０が嵌合されるようになっている。そのプラグコネクタ１０には、信号伝送媒体としての細線同軸ケーブルＳＣの端末部が連結されており、当該細線同軸ケーブルＳＣが連結された状態のプラグコネクタ１０が、まず図１及び図２に示されているように前記連結突部ＭＦａに対して略水平方向に対面するように配置される。その後、製品筐体ＭＦの壁部の表面と略平行な方向にプラグコネクタ１０が移動されていき、図５及び図６に示されているように前記連結突部ＭＦａの全体の外方をプラグコネクタ１０で覆うようにして嵌合が行われる。
【００２０】
このように、製品筐体ＭＦの連結突部ＭＦａにプラグコネクタ１０が嵌合された状態において、細線同軸ケーブルＳＣの端末部が配線パターンＣＰに接続されるようになっているが、以下、プラグコネクタ１０に関しては、当該プラグコネクタ１０を差し込む方向を前方向とし、それとは反対に抜き出す抜去方向を後方向とする。また、連結突部ＭＦａに関しては、プラグコネクタ１０側に向かって突出する方向を前方向とし、それとは反対の方向を後方向とする。
【００２１】
このときの連結突部ＭＦａは、平面視において略矩形状をなす板状部材から形成されているが、当該連結突部ＭＦａの両側に相当する製品筐体ＭＦの壁部を溝状に切り込むようにして形成されている。この連結突部ＭＦａの表面には、上述した配線パターンＣＰの端末部分が、後方側から前方側、つまり当該連結突部ＭＦａの突出方向に向かって延在するように形成されており、連結突部ＭＦａの板幅方向の中央部分には信号導電路ＣＰａが配置されているとともに、その信号導電路ＣＰａに隣接する両側に、グランド導電路ＣＰｂが略平行に延出するように形成されている。これらの配線パターンＣＰを構成する信号導電路ＣＰａ、及びグランド導電路ＣＰｂは、前記連結突部ＭＦａの表面に露出するように形成されていて、それらの露出部分に接点部が設けられている。
【００２２】
一方、プラグコネクタ１０は、前述したように連結突部ＭＦａに対して略水平に嵌合される水平嵌合型コネクタを構成するものであるが、そのプラグコネクタ１０の後方側の端縁部には、信号伝送媒体の一例としての細線同軸ケーブルＳＣの端末部分が連結されている。
【００２３】
その信号伝送媒体としての細線同軸ケーブルＳＣの端末部分は、外周被覆材が皮剥きされることによってケーブル中心導体（信号線）ＳＣａ及びケーブル外部導体（シールド線）ＳＣｂが同軸状をなすように露出されており、当該細線同軸ケーブルＳＣの中心軸線に沿うようにして配置されたケーブル中心導体ＳＣａが、本体部としての絶縁ハウジング１１に取り付けられた信号用導電端子（シグナルコンタクト）１２に接続されることにより信号回路が構成される。また、上記ケーブル中心導体ＳＣａの外周側を取り囲むように配置されたケーブル外部導体ＳＣｂは、後述する導電性シェル１４に一体的に設けられたグランド用導電端子（グランドコンタクト）１３に接続され、それによってグランド回路が構成される。
【００２４】
このプラグコネクタ１０の本体部を構成する絶縁ハウジング１１は、上述したように細線同軸ケーブルＳＣ、信号用導電端子（シグナルコンタクト）１２及びグランド用導電端子（グランドコンタクト）１３を保持しており、製品筐体ＭＦ側の連結突部ＭＦａにプラグコネクタ１０が嵌合された際に、当該絶縁ハウジング１１が連結突部ＭＦａの上面側に配置されるようになっている。
【００２５】
また、その絶縁ハウジング１１の外側表面は、薄板金属状部材からなる導電性シェル１４によって覆われている。この導電性シェル１４は、特に図７及び図８に示されているように、前記絶縁ハウジング１１の外周側面を環状に覆うシェル本体部１４ａと、絶縁ハウジング１１の上面部を覆うシェル蓋部１４ｂと、前記シェル本体部１４ａの下方側に配置されたシェル嵌合部１４ｃと、から構成されている。
【００２６】
このうちのシェル本体部１４ａは、平面視において略矩形状の環状体をなすように形成されており、上述したように絶縁ハウジング１１の側壁部を外周側から取り囲むように装着されている。また、このシェル本体部１４ａの両側壁部からは、縦断面略「Ｕ」の字形状をなすシェル嵌合部１４ｃが下方に垂れ下がるように設けられている。このシェル嵌合部１４ｃは、上述した絶縁ハウジング１１と同様に本体部の一部を構成するものであって、内部が中空状をなすように形成されている。このシェル嵌合部１４ｃにおける略「Ｕ」の字形状の縦断面形状は、前後方向において連続するように形成されており、それによって当該シェル嵌合部１４ｃの前端側の開口縁部に、上述した連結突部ＭＦａを受け入れる挿入嵌合口１４ｄが形成されている。
【００２７】
また、上述したシェル本体部１４ａの後端部分には、縦断面略半円形状をなすケーブル支持部１４ｅが、後方側に向かって略水平に突出するように設けられており、そのケーブル支持部１４ｅの内壁面に対して、上述した細線同軸ケーブルＳＣの端末部分が載置されて受けられるようになっている。
【００２８】
さらに、前記導電性シェル１４のシェル蓋部１４ｂは、細線同軸ケーブルＳＣの端末部分を連結する前の初期状態においては、図７及び図８に示されているような開放状態になされている。すなわち、その初期状態におけるシェル蓋部１４ｂは、上述したケーブル支持部１４ｅの反対側、つまりシェル本体部１４ａの前端部分に、細幅状をなす連結板１４ｆを介して略鉛直上方に立ち上がるように形成されている。その連結板１４ｆの内表面側には、前記絶縁ハウジング１１から上方に立ち上がるように設けられた絶縁押圧板１１ａが沿うように配置されている。
【００２９】
そして、上述したような導電性シェル１４の開放状態において、細線同軸ケーブルＳＣの端末部分が、図９のようにケーブル支持部１４ｅに受けられるように載置されてセットされた後に、図１０に示されているようにして連結板１４ｆが、前記絶縁押圧板１１ｃとともに略直角に折り曲げられ、導電性シェル１４のシェル蓋部１４ｂが略水平状態まで押し倒される。これによって、絶縁ハウジング１１がシェル蓋部１４ｂにより上方側から覆われて導電性シェル１４が閉塞状態になされる。
【００３０】
この閉塞された状態におけるシェル蓋部１４ｂは、シェル本体部１４ａを外側から覆うように被せられているとともに、上述したケーブル支持部１４ｅ及び細線同軸ケーブルＳＣを外側から覆うように構成になされている。すなわち、そのシェル蓋部１４ｂには、ケーブル支持部１４ｅ及び細線同軸ケーブルＳＣに相当する位置に、第１保持部１４ｇ及び第２保持部１４ｈが、横断面コの字形状をなすように設けられている。それらの第１保持部１４ｇ及び第２保持部１４ｈは、横断面コの字形状の開放側部分がケーブル支持部１４ｅ及び細線同軸ケーブルＳＣに対面するように形成されていて、前述したようにシェル蓋部１４ｂが略水平状態まで押し倒された際に、ケーブル支持部１４ｅ及び細線同軸ケーブルＳＣを縦断面コの字形状に覆うように構成されている。それらの第１保持部１４ｇ及び第２保持部１４ｈは、開放部分を構成している両側板状部材の先端部分が図１０の矢印Ａで示されているようにして内方側に折り曲げられ、カシメが行われることによって固定状態になされることにより、ケーブル外部導体ＳＣｂがケーブル支持部１４ｅと第１保持部１４ｇとに接触することで導電性シェル１４によるグランド回路が構成されることとなる。
【００３１】
また、グランド用導電端子（グランドコンタクト）１３は、連結突部ＭＦａへの嵌合方向と略平行な方向に沿って延在するようにして前記細線同軸ケーブルＳＣを挟んだ両側に配置されているが、導電性シェル１４のシェル本体部１４ａと一体的に設けられている。より具体的には、細線同軸ケーブルＳＣを挟んだ両側にはシェル本体部１４ａの上端縁部分が配置されているが、そのシェル本体部１４ａの上端縁部分の一部が、絶縁ハウジング１１側である内方側に向かって折り曲げられており、嵌合方向と略直交する方向に沿って片持ち状に延出する第１のアーム部１３ａになされている。
【００３２】
すなわち、上述した第１のアーム部１３ａは、シェル本体部１４ａの上端縁部分からコネクタ内方側に向かって略水平に延出しており、上下方向に弾性変位可能な自由端部分を有している。さらに、その第１のアーム部１３ａの自由端部分からは、第２のアーム部１３ｂが、嵌合方向の後方に向かって片持ちビーム状をなすようにして一体的に延出している。この第２のアーム部１３ｂは、嵌合方向の後方に向かって略水平に延出した後に、下方に向かって湾曲状に張り出すように折り曲げ成形されており、当該第２のアーム部１３ｂの下端側部分に形成された自由端部分の後方側に第１のグランド接点部１３ｃが設けられている。
【００３３】
この第２のアーム部１３ｂにおける下端側自由端部分の後方側に設けられた第１のグランド接点部１３ｃは、前記連結突部ＭＦａ上のグランド導電路ＣＰｂに対応する位置に設けられており、上述したように片持ちビーム状をなす第１及び第２のアーム部１３ａ，１３ｂの上下方向の弾性変位作用によってグランド導電路ＣＰｂの表面上に圧接されることにより電気的な接続が行われるように構成されている。
【００３４】
なお、シェル嵌合部１４ｃは、連結突部ＭＦａを受け入れる挿入嵌合口１４ｄを形成しているが、その挿入嵌合口１４ｄを通して連結突部ＭＦａが嵌合された時のシェル嵌合部１４ｃには、上記第１及び第２のアーム部１３ａ，１３ｂの弾性変位作用が連結突部ＭＦａを介して受けられることとなるために、連結突部ＭＦａを挟んで第１及び第２のアーム部１３ａ，１３ｂによる弾性変位力をシェル嵌合部１４ｃにより相殺することができる。
【００３５】
また、上述した第２のアーム部１３ｂの下端側部分は、当該下端側部分の後方側に設けられた第１のグランド接点部１３ｃから前方に向かって片持ちビーム状をなすように延出している。この第２のアーム部１３ｂの前端側部分に形成された自由端部分は、下方に向かって湾曲状に張り出すように折り曲げ成形されており、その下方側突出部分の頂点部が第２のグランド接点部１３ｄになされている。この第２のアーム部１３ｂの自由端部分に設けられた第２のグランド接点部１３ｄは、上述した連結突部ＭＦａ上のグランド導電路ＣＰｂに設けられたグランド接点部に対応する位置に設けられており、上述したように片持ちビーム状をなす第１及び第２のアーム部１３ａ，１３ｂの上下方向の弾性変位作用によってグランド導電路ＣＰｂ上のグランド接点部に圧接され、それによって電気的な接続が行われる構成になされている。
【００３６】
なお、上述したように第２のアーム部１３ｂの後方側に設けられた第１のグランド接点部１３ｃは、必ずしも設けられる必要がなく、第２のアーム部１３ｃの自由端部分の前方側に設けられた第２のグランド接点部１３ｄだけがグランド導電路ＣＰｂに圧接されることでグランド回路を構成することは可能である。
【００３７】
また、上述したように本体部を構成しているシェル本体部１４ａの両側板には、前記連結突部ＭＦａの側面に向かって突出するロック係合部１５が凸形状をなすように設けられているとともに、そのシェル本体部１４ａ側のロック係合部１５に対応して、前記連結突部ＭＦａの側面部には、凹形状をなすロック係止部ＭＦｂが形成されている。これらのロック部を構成しているロック係合部１５及びロック係止部ＭＦｂは、嵌合方向において係脱可能となるように構成されており、連結突部ＭＦａに対してプラグコネクタ１０が嵌合された際に、シェル本体部１４ａ側のロック部１５が、連結突部ＭＦａ側の係止部ＭＦｂに凹凸状に嵌合してプラグコネクタ１０の固定が行われるようになっている。
【００３８】
一方、信号を伝送するための信号用導電端子（シグナルコンタクト）１２は、絶縁ハウジング１１に対して圧入又はインサート成形等により取り付けられているが、連結突部ＭＦａへの嵌合方向と略平行な方向に沿って延在しており、当該信号用導電端子１２の両側には、上述した接地用のグランド用導電端子（グランドコンタクト）１３，１３が配置された構成になされている。
【００３９】
このとき、信号用導電端子（シグナルコンタクト）１２は、特に図５に示されているように、上述した細線同軸ケーブルＳＣのケーブル中心導体（信号線）ＳＣａに接続されるケーブル挟持部１２ａと、そのケーブル挟持部１２ａから下方側に向かって湾曲状に延出して配線パターンＣＰの信号導電路ＣＰａに接触する弾性バネ部１２ｂとを有している。
【００４０】
そのうちのケーブル挟持部１２ａは、側面視において略Ｕ字形状をなすように折り曲げ形成されたクリップビーム構造になされており、細線同軸ケーブルＳＣのケーブル中心導体（信号線）ＳＣａを上下からクリップ状に挟むように形成されている。このケーブル挟持部１２ａを構成している上側ビーム部１２ｃの途中部分には、前記ケーブル中心導体（信号線）ＳＣａを上方側から押圧する凹部が設けられている。
【００４１】
なお、このケーブル挟持部１２ａの上側ビーム部１２ｃは、上述した細線同軸ケーブルＳＣの端末部分を連結する前の初期状態において、例えば図７及び図９に示されているような開放状態になされている。すなわち、その初期状態における上側ビーム部１２ｃは、斜め上方に向かって立ち上がる形状を有しており、細線同軸ケーブルＳＣの端末部分が図９のようにケーブル支持部１４ｅ上に載置されてセットされた状態から、図１０に示されているようにして導電性シェル１４のシェル蓋部１４ｂが絶縁押圧板１１ｃとともに略水平状態まで押し倒されると、当該ケーブル挟持部１２ａの上側ビーム部１２ｃが絶縁押圧板１１ａによって略水平状態まで押し倒され、ケーブル中心導体（信号線）ＳＣａを上方側から押圧するように構成されている。
【００４２】
また、信号用導電端子（シグナルコンタクト）１２の弾性バネ部１２ｂは、上述したケーブル挟持部１２ａの後端部分から下方に湾曲するように折り曲げ形成された後に前方に向かって延出しており、側面視において略Ｕ字形状をなすように形成されている。この弾性バネ部１２ｂの前方側への延出部分は、片持ちビーム状をなすように延在しており、当該弾性バネ部１２ｂの前端側部分である自由端部分は、下方に向かって湾曲状に張り出すように折り曲げ成形されている。そして、その下方側突出部分の頂点部が信号接点部１２ｄになっている。この弾性バネ部１２ｂに設けられた信号接点部１２ｄは、上述した連結突部ＭＦａ上の信号導電路ＣＰａに設けられた信号接点部に対応する位置に設けられており、上述した片持ちビーム状をなす弾性バネ部１２ｂの弾性変位作用によって信号導電路ＣＰａ上の信号接点部に圧接され、それによって電気的な接続が行われる構成になされている。
【００４３】
このように本実施形態においては、製品筐体ＭＦの壁部に対して単体のプラグコネクタ１０が直接的に嵌合されるようになっており、その単体のプラグコネクタ１０の嵌合状態において、連結突部ＭＦａの表面に露出している配線パターンＣＰの信号導電路ＣＰａ及びグランド導電路ＣＰｂの各接点部に対して、信号用導電端子（シグナルコンタクト）１２及びグランド用導電端子（グランドコンタクト）１３の各接点部が接触される。そのため、従来から用いられている回路基板や、その回路基板に実装される嵌合相手となる電気コネクタを介在することなく、信号伝送媒体の電気的な接続が簡易な構成で行われるようになっている。
【００４４】
また、本実施形態では、信号用導電端子（シグナルコンタクト）１２の両側に、接地用のグランド用導電端子（グランドコンタクト）１３，１３が配置された構成になされていることから、信号用導電端子１２に対するインピーダンス調整が良好に行われるようになっている。
【００４５】
さらに、本実施形態においては、連結突部ＭＦａ及び本体部としてシェル嵌合部１４ｃに、嵌合方向において係脱可能となるように構成されたロック部ＭＦｂ及び１５が設けられていることから、信号用導電端子（シグナルコンタクト）１２及びグランド用導電端子（グランドコンタクト）１３の電気的な接続状態が安定的に維持されるようになっている。
【００４６】
さらにまた、本実施形態におけるグランド用導電端子（グランドコンタクト）１３においては、嵌合方向と略直交する方向に沿って片持ち状に延出する第１のアーム部１３ａ、及びその第１のアーム部１３ａの自由端部から略嵌合方向に沿って片持ち状に延出する第２のアーム部１３ｂの自由端部に、前記配線パターンＣＰ側に接触する接点部１３ｃ，１３ｄが設けられており、その配線パターンＣＰ側に接触するグランド接点部１３ｃ，１３ｄが、互いに直交する方向に延在する第１及び第２のアーム部１３ａ，１３ｂにより弾性変位可能に支持されている。そのため、電気コネクタに対してどのような方向から負荷が掛けられても、その負荷の方向に対応するようにして第１及び第２のアーム部１３ａ，１３ｂが弾性変位することとなり、前記両グランド接点部１３ｃ，１３ｄのいずれかが配線パターンＣＰ側に接触する状態が維持されることによって電気的な接触安定性が良好に維持されるようになっている。
【００４７】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４８】
例えば、上述した実施形態は、水平嵌合型の電気コネクタに本発明を適用したものであるが、垂直嵌合型の電気コネクタに対しても同様に適用することができる。また、ロック係合部１５とグランド用導電端子（グランドコンタクト）１３とが、一体的に成形されているため、ロック係合部１５をグランド部材として用いることが可能であり、当該ロック係合部１５とロック係止部ＭＦｂの外周面との接触位置にもグランド導電路を設けることでグランド回路を増加させることができ、ＥＭＩ効果や伝送特性の向上を図ることができる。
【００４９】
さらに本発明は、上述した実施形態のような単体の細線同軸ケーブル用コネクタに限定されることはなく、多極状に配置された細線同軸ケーブル用コネクタや、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００５０】
以上のように本実施形態は、各種電気機器に使用される多種多様な電気コネクタに対して広く適用することが可能である。
【符号の説明】
【００５１】
１０  プラグコネクタ
１１  絶縁ハウジング（本体部）
１１ａ  絶縁押圧板
１２  信号用導電端子（シグナルコンタクト）
１２ａ  ケーブル挟持部
１２ｂ  弾性バネ部
１２ｃ  上側ビーム部
１２ｄ  信号接点部
１３  グランド用導電端子（グランドコンタクト）
１３ａ  第１のアーム部
１３ｂ  第２のアーム部
１３ｃ  第１のグランド接点部
１３ｄ  第２のグランド接点部
１４  導電性シェル
１４ａ  シェル本体部
１４ｂ  シェル蓋部
１４ｃ  シェル嵌合部（本体部）
１４ｄ  挿入嵌合口
１４ｅ  ケーブル支持部
１４ｆ  連結板
１４ｇ  第１保持部
１４ｈ  第２保持部
１５  ロック係合部（ロック部）
ＳＣ  細線同軸ケーブル（信号伝送媒体）
ＳＣａ  ケーブル中心導体（信号線）
ＳＣｂ  ケーブル外部導体（シールド線）
ＭＦ  製品筐体
ＭＦａ  連結突部
ＭＦｂ  ロック係止部（ロック部）
ＣＰ  配線パターン
ＣＰａ  信号導電路
ＣＰｂ  グランド導電路
【図１】
2011146273.tif 000003
【図２】
2011146273.tif 000004
【図３】
2011146273.tif 000005
【図４】
2011146273.tif 000006
【図５】
2011146273.tif 000007
【図６】
2011146273.tif 000008
【図７】
2011146273.tif 000009
【図８】
2011146273.tif 000010
【図９】
2011146273.tif 000011
【図１０】
2011146273.tif 000012
【図１１】
2011146273.tif 000013
【手続補正書】
【提出日】平成22年12月29日(2010.12.29)
【手続補正２】
【補正対象書類名】明細書
【補正対象項目名】０００５
【補正方法】変更
【補正の内容】
【０００５】
そこで本発明は、簡易な構成によって、低背化及び低コスト化を大幅に図ることができるようにした電気コネクタ及び電気コネクタ組立体を提供することを目的とする。
【手続補正３】
【補正対象書類名】特許請求の範囲
【補正対象項目名】全文
【補正方法】変更
【補正の内容】
【特許請求の範囲】
【請求項１】
所定の電子回路を有する電子機器を構成する製品筐体の壁部の表面上に形成された配線パターンに、信号伝送媒体の端末部を電気的に接続するものであって、
前記配線パターンに弾性的に接触する接点部を有するコンタクトが本体部に取り付けられた電気コネクタにおいて、
前記本体部が、前記製品筐体の壁部から片持ち状に突出する連結突部に対して嵌合可能となるように構成されたものであって、
前記配線パターンに、前記連結突部の表面に露出する接点部が設けられているとともに、
前記コンタクトが、前記連結突部への嵌合方向と略平行な方向に沿って延在するように配置され、且つそのコンタクトの接点部は、前記本体部が前記連結突部に嵌合された状態において前記配線パターンの接点部に接触するように構成されていることを特徴とする電気コネクタ。
【請求項２】
前記コンタクトが、信号を伝送するシグナルコンタクトと、そのシグナルコンタクトの両側に配置された接地用のグランドコンタクトと、からなることを特徴とする請求項１記載の電気コネクタ。
【請求項３】
前記連結突部及び本体部には、嵌合方向において係脱可能となるように構成されたロック部が設けられていることを特徴とする請求項１記載の電気コネクタ。
【請求項４】
前記コンタクトが、嵌合方向と略直交する方向に沿って片持ち状に延出する第１のアーム部と、その第１のアーム部の自由端から略嵌合方向に沿って片持ち状に延出する第２のアーム部と、を有し、
前記第２のアーム部の自由端部分には、前記配線パターン側に接触する接点部が設けられていることを特徴とする請求項１記載の電気コネクタ。
【請求項５】
所定の電子回路を有する電子機器を構成するものであって、壁部の表面上に信号を伝送する配線パターンが形成された製品筐体と、
請求項１乃至請求項４のいずれかに記載の電気コネクタと、
からなることを特徴とする電気コネクタ組立体。